(57)【要約】【解決手段】箱型に組み立てられた状態から先に倒される側壁２を、底部１の土手部１ａにヒンジ連結された下部壁部２Ａと該下部壁部２Ａにスライド移動可能な上部壁部２Ｂとにより構成したものである。【効果】下部側部に対して上部側部を回動させて、上部側部を、下部側部に形成された凹部に挿入するようにした従来の折り畳みコンテナーのように、箱型に組み立てられた際に、下部側壁に形成された凹部に、収容された物品が入り込むようなことがなく、従って、収容された物品の取り出し作業の作業性が向上するとともに、凹部を形成したことにより形成された角部に、収容された物品が当接し、収容された物品が損傷するようなことを防止することができる。【選択図】図１
2007076655.tif 000002
【特許請求の範囲】
【請求項１】
底部と、底部の一方の相対する土手部にヒンジ連結された一方の相対する側壁と、底部のもう一方の相対する土手部にヒンジ連結されたもう一方の相対する側壁とからなり、底部に対して略垂直に側壁を立てることにより、箱型に組み立てられ、また、底部の上に重なるように側壁を倒すことにより、折り畳むように構成された折り畳みコンテナーにおいて、箱型に組み立てられた状態から先に倒される側壁を、底部の土手部にヒンジ連結された下部壁部と該下部壁部にスライド移動可能な上部壁部とにより構成したことを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短側壁を立てることにより、箱型に組み立てられ、また、底部の上に重なるように、長側壁及び短側壁を倒すことにより、折り畳むようにした折り畳みコンテナーにおいて、箱型に組み立てられた状態から、先に倒される側壁を、ヒンジ部材を介して、互いに重合可能とした折り畳みコンテナーが知られている。そして、箱型に組み立てられ状態から、先に倒されるヒンジ部材を介して２分割された側壁を、互いに重合した後、先に倒される側壁を底部に重なるように倒し、次いで、他の相対する側壁を、先に倒される側壁に、重なるように倒すように構成された折り畳みコンテナーが、特許文献１に開示されている。
【０００３】
【特許文献１】特願２００２−３２１７３５
【発明の開示】
【発明が解決しようとする課題】
【０００４】
上述した折り畳みコンテナーにおいては、先に倒される長側壁を、上部長側壁と下部長側壁とに２分割するとともに、下部長側壁に形成された凹部に、上部長側壁を嵌合するように構成されているために、箱型に組み立てられた際に、折り畳みコンテナーの内側に、下部長側壁に形成された凹部が位置することになり、この凹部に収容された物品が入り込み、物品の取り出し作業の作業性が悪くなるという問題があった。
【０００５】
また、上述した折り畳みコンテナーにおいては、折り畳みコンテナーの内側に、下部長側壁に形成された凹部が位置することになり、この凹部を形成したことにより形成された角部に、収容された物品が当接し、収容された物品が損傷するという問題があった。特に、収容された物品が、果物や野菜等の柔らかい物である場合には、上記の角部に当接した際に、果物や野菜等の表面に角部に当接した跡が残ってしまい、商品価値が損なわれるという問題があった。
【０００６】
更に、短側壁を略垂直に立て、次いで、下部長側壁と下部長側壁に形成された凹部に嵌合されている上部長側壁とを略垂直に立て、その後、折り畳みコンテナーの内側に手を入れて、上部長側壁を、ヒンジ部を中心に、下部長側壁に形成された凹部から取り出すことにより、下部長側壁と上部長側壁とを面一となるようにして、折り畳みコンテナーを箱型に組み立てることになるが、下部長側壁と下部長側壁に形成された凹部に嵌合されている上部長側壁とを略垂直に立てた後に、折り畳みコンテナーの内側に手を入れて、上部長側壁を、ヒンジ部を中心に、下部長側壁に形成された凹部から取り出さなければならないために、折り畳みコンテナーの組み立て作業の作業性が悪いという問題があった。
【０００７】
本発明の目的は、上述した折り畳みコンテナーが有する課題を解決することにある。
【課題を解決するための手段】
【０００８】
底部と、底部の一方の相対する土手部にヒンジ連結された一方の相対する側壁と、底部のもう一方の相対する土手部にヒンジ連結されたもう一方の相対する側壁とからなり、底部に対して略垂直に側壁を立てることにより、箱型に組み立てられ、また、底部の上に重なるように側壁を倒すことにより、折り畳むように構成された折り畳みコンテナーにおいて、箱型に組み立てられた状態から先に倒される側壁を、底部の土手部にヒンジ連結された下部壁部と該下部壁部にスライド移動可能な上部壁部とにより構成したものである。
【発明の効果】
【０００９】
箱型に組み立てられた状態から先に倒される側壁を、底部の土手部にヒンジ連結された下部壁部と該下部壁部にスライド移動可能な上部壁部とにより構成したので、下部側部に対して上部側部を回動させて、上部側部を、下部側部に形成された凹部に挿入するようにした従来の折り畳みコンテナーのように、箱型に組み立てられた際に、下部側壁に形成された凹部に、収容された物品が入り込むようなことがなく、従って、収容された物品の取り出し作業の作業性が向上するとともに、凹部を形成したことにより形成された角部に、収容された物品が当接し、収容された物品が損傷するようなことを防止することができる。
【００１０】
また、折り畳まれた状態の折り畳みコンテナーを箱型に組み立てる際には、重合状態の下部側部と上部側部のうち、上に位置する上部側部の適当なフランジを手で持って、下部側部と上部側部とが重合状態の側壁を略垂直に立て、そのままの状態で、上部側部を持ち上げて、スライド移動させることにより、箱型に組み立てることができるので、下部側部と上部側部とが重合状態の側壁を略垂直に立てた後に、下部側部の内側に手を入れて、上部側部を持ち、上部側部を回動させるようにした従来の折り畳みコンテナーに較べて、折り畳みコンテナーの組み立て作業の作業性が向上することになる。
【００１１】
更に、箱型に組み立てられた折り畳みコンテナーを折り畳む際には、上部側部を下方に押し下げて、スライド移動させることにより、上部側部を、下部側部に重合させ、そのままの状態で、重合された上部側部と下部側部とを、底部方向に倒すことができるので、上部側部を手で持って回動させて、その後、下部側部を手で持って、下部側部と上部側部とが重合状態の側壁を底部方向に倒すようにした従来の折り畳みコンテナーに較べて、折り畳みコンテナーの折り畳み作業の作業性が向上することになる。
【実施例】
【００１２】
以下に、本発明の実施の形態について説明するが、本発明の趣旨を越えない限り、何ら、本実施例に限定されるものではない。
【００１３】
先ず最初に、図１〜図４を用いて、本発明の折り畳みコンテナーの全体構成について説明する。
【００１４】
１は、底部であり、底部１の平面形状が長方形状の底板１ｃの相対する長辺側には、長辺側土手部１ａが形成されており、また、底板１ｃの相対する短辺側には、短辺側土手部１ｂが形成されており、本実施例においては、短辺側土手部１ｂは、長辺側土手部１ａより高く形成されている。
【００１５】
長側壁２は、下部長側部２Ａと、下部長側部２Ａに、上下方向にスライド移動可能に組み付けられた上部長側部２Ｂとから構成されており、下部長側部２Ａが、底部１の長辺側土手部１ａに、適当なヒンジ部材を介して、ヒンジ連結されている。また、短側壁３は、底部１の短辺側土手部１ｂに、同じく、適当なヒンジ部材を介して、ヒンジ連結されている。
【００１６】
次に、図５を用いて、底部１について説明する。
【００１７】
底部１を構成する短辺側土手部１ｂは、底板１ｃの短辺に沿って、底板１ｃに対して略垂直に立設された内側垂直部１ｂ１と、内側垂直部１ｂ１の上端から外側に水平方向に延在する水平部１ｂ２と、水平部１ｂ２の先端から下方に、且つ、内側垂直部１ｂ１に略平行に垂下された外側垂直部１ｂ３とにより、長手方向に対して垂直な断面形状が、略逆Ｕ字状に形成されている。
【００１８】
Ｈ１は、短辺側土手部１ｂに形成された雌ヒンジ部であり、雌ヒンジ部Ｈ１は、上方が開放され、且つ、平面形状が短辺側土手部１ｂの長さ方向に沿って略横長の長形状である凹部ｈ１と、凹部ｈ１の略中央部に位置する内側垂直部１ｂ１に形成された切欠部ｈ２と、切欠部ｈ２の両側に位置する内側垂直部１ｂ１の内面（外側垂直部１ｂ３と対向する面）の上部に突設された係合突部ｈ３とにより構成されている。なお、本実施例においては、短辺側土手部１ｂに、４個の雌ヒンジ部Ｈ１が形成されている例が示されている。
【００１９】
また、底部１を構成する長辺側土手部１ａは、底板１ｃの長辺に沿って、且つ、底板１ｃに対して略垂直に立設された内側垂直部１ａ１と、底板１ｃを延長することにより形成された帯状板部１ａ２とを有している。内側垂直部１ａ１と帯状板部１ａ２とにより形成される隅部には、適当数の略箱型の土手部が形成されている。本実施例には、土手部は、長辺側土手部１ａの中央部に形成された中央土手部１ａ３と、長辺側土手部１ａの両端部付近に形成された端部土手部１ａ４とから構成されており、端部土手部１ａ４は、短辺側土手部１ｂに連結されている。
【００２０】
中央土手部１ａ３の外側垂直面１ａ３’は、帯状板部１ａ２の先端面１ａ２’と略面一に形成されている。また、端部土手部１ａ４の外側垂直面１ａ４’のうち、短辺側土手部１ｂ側に位置する一部を除いて、外側垂直面１ａ４’は、帯状板部１ａ２の先端面１ａ２’より引っ込んでおり、このように、外側垂直面１ａ４’を、帯状板部１ａ２の先端面１ａ２’より引っ込ませることにより、端部土手部１ａ４には、外側垂直面１ａ４’の前部には、引っ込み段部１ａ５が形成されている。なお、中央土手部１ａ３の外側垂直面１ａ３’に形成された窪み１ａ３”は、必要に応じて形成されるラベル貼着部である。
【００２１】
上述したように、長辺側土手部１ａに、中央土手部１ａ３と端部土手部１ａ４を形成することにより、中央土手部１ａ３と端部土手部１ａ４との間には、中央部寄り嵌合凹部１ａ６が形成されているとともに、端部土手部１ａ４には、上方及び帯状板部１ａ２の先端面１ａ２’側が開放された端部寄り嵌合凹部１ａ７が形成されている。また、長辺側土手部１ａに形成された中央土手部１ａ３の略中央部には、上述した雌ヒンジ部Ｈ１が、１個、形成されており、また、端部土手部１ａ４には、端部寄り嵌合凹部１ａ７を挟んで、２個の雌ヒンジ部Ｈ１が形成されている。なお、１ａ８は、端部土手部１ａ４の外側垂直面１ａ４’を、内側垂直部１ａ１方向に凹ませることにより形成された穴部である。
【００２２】
次に、図６〜図１０を用いて、長側壁２を構成する下部長側部２Ａ及び上部長側部２Ｂについて説明する。
【００２３】
下部長側部２Ａは、横長の長方形状の板部２ａを有しており、板部２ａの下端水平辺には、板部２ａの外面（折り畳みコンテナーが箱型に組み立てられた際に、外側に位置する面）２ａ１に略垂直な下端水平フランジ２ｂが形成されているとともに．下端水平フランジ２ｂに接近して、板部２ａの外面２ａ１には、下端水平フランジ２ｂに平行な下部水平フランジ２ｃが形成されている。なお、板部２ａの内面（折り畳みコンテナーが箱型に組み立てられた際に、内側に位置する面）２ａ２は、凹凸のない平坦面として形成されている。
【００２４】
下部長側部２Ａの板部２ａの端部垂直辺には、下端水平フランジ２ｂの両端から、板部２ａ中程まで延在するとともに、板部２ａの外面２ａ１に略垂直な端部垂直フランジ２ｄが形成されており、また、端部垂直フランジ２ｄの上端には、下部水平短フランジ２ｅが連結されており、更に、下部水平短フランジ２ｅの先端には、上方に延在する垂直短フランジ２ｆが連結されており、更にまた、垂直短フランジ２ｆの先端には、下部水平短フランジ２ｅと略平行で、板部２ａの端部垂直辺まで延在する上部水平短フランジ２ｇが連結されている。更にまた、下部水平短フランジ２ｅと上部水平短フランジ２ｇと垂直短フランジ２ｆとにより囲まれた板部２ａの外面２ａ１には、嵌合突部２ｈが突設されており、更になお、上部水平短フランジ２ｇに、板部２ａの外面２ａ１と平行な垂直片２ｉを立設することにより、板部２ａの外面２ａ１と垂直片２ｉとの間には、嵌合間隙２ｊが形成されている。
【００２５】
下部長側部２Ａの板部２ａの外面２ａ１には、端部垂直フランジ２ｄに略平行で、下部水平短フランジ２ｅに連結されている内側垂直フランジ２ｋが形成されており、内側垂直フランジ２ｋ及び垂直短フランジ２ｆと板部２ａの外面２ａ１との間には、スリットＳ１が形成されている。また、内側垂直フランジ２ｋの下部水平短フランジ２ｅ付近には、端部垂直フランジ２ｄ方向に凹んだ上部凹部２ｋ１が形成されており、更に、上部凹部２ｋ１の下方に位置する内側垂直フランジ２ｋには、同じく、端部垂直フランジ２ｄ方向に凹んだ下部凹部２ｋ２が形成されている。なお、下部凹部２ｋ２の深さは、上部凹部２ｋ１の深さより、深く形成されている。更に、垂直短フランジ２ｆと内側垂直フランジ２ｋとは、上方から見て、重なるように構成されている。
【００２６】
下部長側部２Ａの板部２ａの外面２ａ１の略中央部領域には、水平方向に、所定の間隔をおいて、一対の係止部材２ｍが形成されており、係止部材２ｍは、所定に間隙を置いて、板部２ａに立設された一対の垂直弾性板部２ｍ１と、垂直弾性板部２ｍ１の先端部から、互いに離反する方向に延在する係止部２ｍ２とから形成されている。
【００２７】
また、下部長側部２Ａに形成された下端水平フランジ２ｂの下面には、雄ヒンジ部Ｈ２が形成されており、雄ヒンジ部Ｈ２は、下端水平フランジ２ｂの下面に垂設された垂直部ｈ４と、垂直部ｈ４の両側面の下部に突設された、下端水平フランジ２ｂの長手方向に延在する係合突部ｈ５とから構成されている。雄ヒンジ部Ｈ２は、上述した底部１の長辺側土手部１ａに形成された雌ヒンジ部Ｈ１に対応して形成されている。なお、垂直部ｈ４の一方の側面のみに、係合突部ｈ５を形成することもできる。
【００２８】
次に、長側壁２を構成する上部長側部２Ｂについて説明する。
【００２９】
上部長側部２Ｂは、横長の長方形状の板部２ｎを有しており、板部２ｎの下端水平辺には、板部２ｎの外面（折り畳みコンテナーが箱型に組み立てられた際に、外側に位置する面）２ｎ１に略垂直な下端水平フランジ２ｐが形成されており、また、板部２ｎの上端水平辺には、外面２ｎ１に略垂直な上端水平フランジ２ｑが形成されており、更に、板部２ｎの両端垂直端には、下端水平フランジ２ｐの両端と上端水平フランジ２ｑの両端とを連結する端部垂直フランジ２ｒが形成されている。なお、板部２ｎの内面（折り畳みコンテナーが箱型に組み立てられた際に、内側に位置する面）２ｎ２は、凹凸のない平坦面として形成されている。
【００３０】
端部垂直フランジ２ｒの外面２ｒ’の下端部には、上述した下部長側部２Ａの内側垂直フランジ２ｋに形成された下部凹部２ｋ２に挿入可能な下部スライド突部２ｒ１が突設されており、また、下部スライド突部２ｒ１の上方には、同じく、下部長側部２Ａの内側垂直フランジ２ｋに形成された上部凹部２ｋ１が挿入可能な上部スライド突部２ｒ２が突設されている。また、端部垂直フランジ２ｒの板部２ｎ側に位置する外面２ｒ’の上端部には、係合部材２ｓが形成されており、係合部材２ｓは、端部垂直フランジ２ｒの外面２ｒ’に垂直な挿入板部２ｓ１と挿入板部２ｓ１の先端から、端部垂直フランジ２ｒと略平行に延在する外側板部２ｓ２とから形成されている。
【００３１】
上部長側部２Ｂの板部２ｎの外面２ｎ１の上端部領域には、上部水平リブ２ｔ１と下部水平リブ２ｔ２と側部リブ２ｔ３と端部垂直フランジ２ｒとで囲まれたロック部材収容領域２ｔが形成されている。また、端部垂直フランジ２ｒ側に位置する上部水平リブ２ｔ１の先端と端部垂直フランジ２ｒ側に位置する下部水平リブ２ｔ２の先端と端部垂直フランジ２ｒの先端とは、方形状の閉鎖板２ｔ４により連結されており、閉鎖板２ｔ４の中央部には、方形状の透孔２ｔ５が穿設されている。更に、ロック部材収容領域２ｔ内に位置する板部２ｎには、略垂直な形成された停止突条２ｔ６が形成されている。更にまた、ロック部材収容領域２ｔ内に位置する端部垂直フランジ２ｒには、縦長の透孔２ｒ３が穿設されている。
【００３２】
上部長側部２Ｂの板部２ｎの外面２ｎ１には、下端水平フランジ２ｐに接近して、下端水平フランジ２ｐに平行な下部水平フランジ２ｕが形成されており、また、ロック部材収容領域２ｔを構成する側部リブ２ｔ３の上部は、上部水平リブ２ｔ１に平行な上部水平フランジ２ｖが形成されている。
【００３３】
下部水平フランジ２ｕと上部水平フランジ２ｖとは、上部長側部２Ｂの板部２ｎの外面２ｎ１に形成された、所定の間隔を置いて配置された一対のガイド部材２ｗにより連結されており、ガイド部材２ｗは、下部水平フランジ２ｕと上部水平フランジ２ｖとを連結するとともに、板部２ｎに穿設された縦長のスリットＳ２を置いて配置された一対の垂直帯板２ｗ１を有している。また、スリットＳ２を形成する垂直帯板２ｗ１の略中央部には、互いに対向するように、且つ、スリットＳ２の略中央部に連通する切欠き凹部２ｗ２が形成されている。なお、上部長側部２Ｂの板部２ｎの外面２ｎ１には、必要に応じて、適当な縦リブ２ｘや横リブ２ｙを形成することもできる。
【００３４】
上述した構成を有する上部長側部２Ｂの横幅、換言すれば、相対する端部垂直フランジ２ｒの外面２ｒ’間の距離は、上述した構成を有する下部長側部２Ａの相対する垂直短フランジ２ｆ間及び相対する内側垂直フランジ２ｋ間の間隔と略同じに形成されており、従って、上部長側部２Ｂは、下部長側部２Ａの相対する垂直短フランジ２ｆ間及び相対する内側垂直フランジ２ｋ間に配置可能に構成されている。
【００３５】
次に、図８及び図１１を用いて、上部長側部２Ｂに配設されるロック部材４について説明する。
【００３６】
ロック部材４は、略方形状の板部４ａ１と板部４ａ１の周辺に形成された周辺リブ４ａ２とからなる操作部４ａと、周辺リブ４ａ２の一方の垂直部４ａ２’に、板部４ａ１と略平行に延設された略板状のロック部４ｂとから形成されている。略板状のロック部４ｂの中央部に、コの字状のスリットＳ３を形成することにより、操作部４ａ側に自由端を有する中央部弾性片４ｃが形成されており、中央部弾性片４ｃの先端部には、周辺リブ４ａ２と同じ方向に延在する係止突条４ｃ１が形成されている。また、操作部４ａ近傍の略板状のロック部４ｂの上下部に、縦スリットＳ４と、縦スリットＳ４の端部から、ロック部４ｂの先端方向に延在する横スリットＳ５を形成することにより、操作部４ａ近傍のロック部４ｂの上下部には、それぞれ、上部弾性片４ｄ及び下部弾性片４ｅが形成されており、また、上部弾性片４ｄの上端面の先端部には、係止突条４ｄ１が立設されているとともに、下部弾性片４ｅの下端面の先端部には、係止突条４ｅ１が垂下されている。
【００３７】
上述したロック部材４を、ロック部４ｂの先端部が、上部長側部２Ｂの板部２ｎと閉鎖板２ｔ４と上部水平リブ２ｔ１と下部水平リブ２ｔ２とにより囲まれたトンネル部Ｔの入口側（上部長側部２Ｂの板部２ｎの中央部側に位置する入り口側）に位置するように、ロック部材収容領域２ｔ内に配置した後、ロック部４ｂを、ロック部４ｂに形成された中央部弾性片４ｃの係止突条４ｃ１が、閉鎖板２ｔ４に穿設された透孔２ｔ５に入り込むまで嵌入することにより、ロック部材４を、上部長側部２Ｂに組み付ける。
【００３８】
図１２に示されているように、ロック部材４のロック部４ｂに形成された中央部弾性片４ｃの係止突条４ｃ１が、閉鎖板２ｔ４に穿設された透孔２ｔ５の板部２ｎの中央部寄りの垂直端２ｔ５’（図８に示されている。）に当接、或いは、接近して位置している状態においては、ロック部４ｂの先端は、端部垂直フランジ２ｒに穿設された透孔２ｒ３から突出しないように構成されているとともに、ロック部４ｂに形成された上部弾性片４ｄの係止突条４ｄ１及び下部弾性片４ｅの係止突条４ｅ１が、閉鎖板２ｔ４の板部２ｎの中央部寄りの垂直端２ｔ４’に係止されており、更に、ロック部材４を構成する操作部４ａの周辺リブ４ａ２のもう一方の垂直部４ａ２”（図８及び図１１に示されている。）が、ロック部材収容領域２ｔ内に位置する板部２ｎに突設された停止突条２ｔ６に当接、或いは、接近して位置している。このような状態が、ロック部材４のロック解除位置であり、ロック部材４のロック解除位置においては、ロック部４ｂが、端部垂直フランジ２ｒに穿設された透孔２ｒ３から突出しないように構成されている。
【００３９】
上述したロック部材４のロック解除位置においては、ロック部材４のロック部４ｂに形成された中央部弾性片４ｃの係止突条４ｃ１が、閉鎖板２ｔ４に穿設された透孔２ｔ５の板部２ｎの中央部寄りの垂直端２ｔ５’に当接或いは接近して位置しているとともに、ロック部４ｂに形成された上部弾性片４ｄの係止突条４ｄ１及び下部弾性片４ｅの係止突条４ｅ１が、閉鎖板２ｔ４の板部２ｎの中央部寄りの垂直端２ｔ４’に係止されており、更に、ロック部材４を構成する操作部４ａの周辺リブ４ａ２のもう一方の垂直部４ａ２”が、ロック部材収容領域２ｔ内に位置する板部２ｎに突設された停止突条２ｔ６に当接、或いは、接近して位置しているので、不用意に、ロック部材４が、端部垂直フランジ２ｒ方向に移動し、ロック部材４のロック部４ｂが、端部垂直フランジ２ｒに穿設された透孔２ｒ３から突出しないように構成されている。
【００４０】
上述したロック部材４のロック解除位置から、ロック部材４を構成する操作部４ａの板部４ａ１と周辺リブ４ａ２とにより形成された操作凹部４ａ’に指を入れて、ロック部材４を、端部垂直フランジ２ｒ方向に移動させると、ロック部材４のロック部４ｂに形成された中央部弾性片４ｃの係止突条４ｃ１が、閉鎖板２ｔ４に穿設された透孔２ｔ５の端部垂直フランジ２ｒ寄りの垂直端２ｔ５”（図８に示されている。）に当接或いは接近して位置するとともに、ロック部４ｂに形成された上部弾性片４ｄ及び下部弾性片４ｅが、弾性変形しながら、上部長側部２Ｂに形成されたトンネル部Ｔに挿入され、また、図１３に示されているように、ロック部材４のロック部４ｂの先端部が、端部垂直フランジ２ｒに穿設された透孔２ｒ３から、端部垂直フランジ２ｒを越えて、外側に突出するように構成されている。このように、ロック部材４のロック部４ｂの先端部が、端部垂直フランジ２ｒに穿設された透孔２ｒ３から、端部垂直フランジ２ｒを越えて、外側に突出している状態が、ロック部材４のロック位置である。
【００４１】
次に、下部長側部２Ａと上部長側部２Ｂとの連結について説明する。
【００４２】
先ず最初に、水平状態の下部長側部２Ａの上方に、下部長側部２Ａと略平行に上部長側部２Ｂを配置する。この際、上部長側部２Ｂの端部垂直フランジ２ｒに突設された下部スライド突部２ｒ１が、下部長側部２Ａの内側垂直フランジ２ｋに形成された下部凹部２ｋ２の上方に位置し、また、上部長側部２Ｂの端部垂直フランジ２ｒに突設された上部スライド突部２ｒ２が、下部長側部２Ａの内側垂直フランジ２ｋに形成された上部凹部２ｋ１の上方に位置するように配置するとともに、上部長側部２Ｂのガイド部材２ｗを構成する一対の垂直帯板２ｗ１に、互いに対向するように形成された切欠き凹部２ｗ２が、下部長側部２Ａの板部２ａに形成された係止部材２ｍの上方に位置するように配置する。その後、上部長側部２Ｂを下降させて、上部長側部２Ｂを、下部長側部２Ａの相対する垂直短フランジ２ｆ間及び相対する内側垂直フランジ２ｋ間に嵌合させることにより、上部長側部２Ｂの端部垂直フランジ２ｒに突設された下部スライド突部２ｒ１を、下部長側部２Ａの内側垂直フランジ２ｋに形成された下部凹部２ｋ２に挿入し、また、上部長側部２Ｂの端部垂直フランジ２ｒに突設された上部スライド突部２ｒ２を、下部長側部２Ａの内側垂直フランジ２ｋに形成された上部凹部２ｋ１に挿入し、更に、上部長側部２Ｂのガイド部材２ｗを構成する一対の垂直帯板２ｗ１に、互いに対向するように形成された切欠き凹部２ｗ２に、下部長側部２Ａの板部２ａに形成された係止部材２ｍを挿入する。なお、切欠き凹部２ｗ２に、係止部材２ｍを挿入する際には、係止部材２ｍを構成する一対の垂直弾性板部２ｍ１を、その弾性力に抗して、互いに接近させて、切欠き凹部２ｗ２に、係止部材２ｍを挿入し、その後、一対の垂直弾性板部２ｍ１が、その弾性力により、元の略垂直状態に戻ると、係止部材２ｍを構成する係止部２ｍ２が、垂直帯板２ｗ１に重なるように位置するように構成することにより、係止部材２ｍが、切欠き凹部２ｗ２から抜け出ることのないように構成することができ、従って、上部長側部２Ｂが、下部長側部２Ａから離反する方向に移動しても、係止部材２ｍを構成する係止部２ｍ２が、垂直帯板２ｗ１に当接し、簡単には、上部長側部２Ｂが、下部長側部２Ａから外れることのない。そして、上部長側部２Ｂの板部２ｎと下部長側部２Ａの板部２ａが、当接或いは接近した後、上部長側部２Ｂを上下動させた際には、上部長側部２Ｂの端部垂直フランジ２ｒに突設された下部スライド突部２ｒ１及び上部スライド突部２ｒ２が、下部長側部２Ａの内側垂直フランジ２ｋと板部２ａの外面２ａ１との間に形成されたスリットＳ１に挿入されるように構成されている。
【００４３】
上述したようにして、下部長側部２Ａに、上部長側部２Ｂが組み付けられることになるが、上部長側部２Ｂが、図１２に示されているように、下部長側部２Ａに、略重合するように配置された際には、下部長側部２Ａの下部水平フランジ２ｃに、上部長側部２Ｂの下端水平フランジ２ｐが、当接或いは接近して位置するとともに、下部長側部２Ａに形成された係止部材２ｍの一対の垂直弾性板部２ｍ１が、上部長側部２Ｂに形成されたガイド部材２ｗの一対の垂直帯板２ｗ１間に穿設されたスリットＳ２に挿入されており、また、上部長側部２Ｂの端部垂直フランジ２ｒの上端部に形成された係合部材２ｓの挿入板部２ｓ１が、下部長側部２Ａのの上部水平短フランジ２ｇに立設された垂直片２ｉと板部２ａの外面２ａ１との間に形成された嵌合間隙２ｊに挿入されており、更に、下部長側部２Ａに形成された係止部材２ｍは、上部長側部２Ｂに形成されたガイド部材２ｗの一対の垂直帯板２ｗ１間に形成されたスリットＳ２の上端部付近に位置している。この状態が、長側壁２を構成する下部長側部２Ａと上部長側部２Ｂが重なり合った重合状態である。
【００４４】
上述した長側壁２を構成する下部長側部２Ａと上部長側部２Ｂが重なり合った重合状態から、上部長側部２Ｂを、図１３に示されているように、下部長側部２Ａとの重合状態を解消するように、上方に移動させると、上部長側部２Ｂの板部２ｎの内面２ｎ２が、該内面２ｎ２に当接或いは接近して位置するように重合している下部長側部２Ａの板部２ａの外面２ａ１に沿って、スライドするように移動することになる。この上部長側部２Ｂの下部長側部２Ａに対するスライド移動の際には、下部長側部２Ａに形成された係止部材２ｍの一対の垂直弾性板部２ｍ１が、上部長側部２Ｂに形成されたガイド部材２ｗの一対の垂直帯板２ｗ１間に形成されたスリットＳ２に案内され、また、上部長側部２Ｂの端部垂直フランジ２ｒに突設された下部スライド突部２ｒ１及び上部スライド突部２ｒ２が、下部長側部２Ａの内側垂直フランジ２ｋと板部２ａの外面２ａ１との間に形成されたスリットＳ１に挿入され案内されるように構成されているので、上部長側部２Ｂの下部長側部２Ａに対するスライド移動が円滑に行われることになる。
【００４５】
次に、図１４〜図１６を用いて、短側壁３について説明する。
【００４６】
短側壁３は、方形状の板部３ａを有しており、板部３ａの下端水平辺には、板部３ａの外面（折り畳みコンテナーが箱型に組み立てられた際に、外側に位置する面）３ａ１に略垂直な下端水平フランジ３ｂが形成されているとともに、板部３ａの上端水平辺には、板部３ａの外面３ａ１に略垂直な上端水平フランジ３ｃが形成されており、下端水平フランジ３ｂの下面には、上述した雄ヒンジ部Ｈ２が、底部１の短辺側土手部１ｂに形成された雌ヒンジ部Ｈ１に対応して形成されている。
【００４７】
短側壁３の板部３ａの両垂直片には、板部３ａの内面（折り畳みコンテナーが箱型に組み立てられた際に、内側に位置する面）３ａ２に対して略垂直で、且つ、縦長の帯状板部として形成された端部枠３ｄが形成されており、端部枠３ｄは、板部３ａの下端部付近まで延在している。また、板部３ａの内面３ａ２には、端部枠３ｄに接近して、端部枠３ｄと略平行に、且つ、板部３ａの上端水平辺から下方に延在する縦長の帯状板部として形成された内側枠３ｅが形成されており、内側枠３ｅは、板部３ａの中程まで延在している。更に、端部枠３ｄの上端と内側枠３ｅの上端とは、上端連結水平枠３ｆにより連結されており、更にまた、内側枠３ｅの下端と端部枠３ｄの中程とは、下端連結水平枠３ｇにより連結されている。そして、板部３ａの内面３ａ２と端部枠３ｄと内側枠３ｅと上端連結水平枠３ｆと下端連結水平枠３ｇとにより、略垂直に立てられた相対する短側壁３の対向側が開放された凹部３ｈが形成されており、凹部３ｈは、区画水平枠３ｉにより、上部区画室３ｈ１とロック用下部区画室３ｈ２とに分割されている。
【００４８】
３ｊ１は、上述した内側枠３ｅの上端部付近に形成された内側水平枠であり、内側水平枠３ｊ１の先端には、内側枠３ｅに略平行で、下端連結水平枠３ｇ付近まで延在する垂下枠３ｊ２が垂設されており、板部３ａの内面３ａ２と内側水平枠３ｊ１と垂下枠３ｊ２とにより、略垂直に立てられた相対する短側壁３の対向側及び下方が開放された嵌合空間３ｊが形成されている。また、端部枠３ｄには、上端部から下端連結水平枠３ｇを越えて下方に延在するスリットＳ６が穿設されており、内側枠３ｅにも、略その全長に亘たって、且つ、スリットＳ６と重合するようなスリット（図示されていない。）が穿設されている。
【００４９】
端部枠３ｄに穿設されたスリットＳ６の下端部付近に位置する、端部枠３ｄの内面（折り畳みコンテナーが箱型に組み立てられた際に、内側に位置する面）３ｄ１には、上部水平部３ｋ１と下部水平部３ｋ２と垂直部３ｋ３とからなる箱型嵌合部３ｋが形成されており、端部枠３ｄには、箱型嵌合部３ｋの嵌合空間部３ｋ４に対応して、透孔３ｄ２が穿設されている。
【００５０】
短側壁３の板部３ａの上部中央部には、手が挿入可能な横長の手持ち用透孔３ｍが穿設されている。手持ち用透孔３ｍを構成する上端辺３ｍ１には、板部３ａの外面３ａ１に略垂直な下部水平枠３ｎ１が形成されており、下部水平枠３ｎ１の上方には、所定の間隔を置いて、上部水平枠３ｎ２が形成されており、更に、下部水平枠３ｎ１の両端と上部水平枠３ｎ２の両端とは、垂直枠３ｎ３により連結されている。下部水平枠３ｎ１と上部水平枠３ｎ２と垂直枠３ｎ３とにより、手持ち用透孔３ｍの上方に形成された手持ち部補強枠部材３ｎが構成されている。手持ち部補強枠部材３ｎを構成する下部水平枠３ｎ１と上部水平枠３ｎ２と垂直枠３ｎ３のそれぞれの高さ（板部３ａの外面３ａ１からの高さ）は、同一に形成されており、手持ち部補強枠部材３ｎを構成する下部水平枠３ｎ１と上部水平枠３ｎ２と垂直枠３ｎ３のそれぞれの高さ、換言すれば、手持ち部補強枠部材３ｎの高さは、下端水平フランジ３ｂ及び上端水平フランジ３ｃの高さ（板部３ａの外面３ａ１からの高さ）と略同じ高さに形成されている。
【００５１】
上述したように、短側壁３の板部３ａに穿設された手持ち用透孔３ｍの上部に、手持ち用透孔３ｍの横幅の略全幅に亘たって、手持ち部補強枠部材３ｎを形成することにより、手持ち用透孔３ｍに手を挿入して、箱型に組み立てられた折り畳みコンテナーを持ち上げる際に、変形し易い板部３ａの変形を防止することができるとともに、手が、手持ち部補強枠部材３ｎを構成する下部水平枠３ｎ１に、面接触することになるので、手が痛むようなことを防止することができる。
【００５２】
手持ち用透孔３ｍを構成する上端辺３ｍ１以外の部分には、板部３ａの外面３ａ１に略垂直な略Ｕ字状の手持ち用透孔周辺リブ３ｐが形成されており、手持ち用透孔周辺リブ３ｐの高さ（板部３ａの外面３ａ１からの高さ）は、下端水平フランジ３ｂや上端水平フランジ３ｃや手持ち部補強枠部材３ｎより低く形成されている。このような手持ち用透孔周辺リブ３ｐを形成することにより、箱型に組み立てられた折り畳みコンテナーを持ち上げる際に、変形し易い板部３ａの変形をより効果的に防止することができる。
【００５３】
また、短側壁３の板部３ａの外面３ａ１には、上端水平フランジ３ｃに接近しているとともに、端部枠３ｄまで延在し、且つ、下端水平フランジ３ｂや上端水平フランジ３ｃや手持ち部補強枠部材３ｎと略同じ高さを有する上部水平フランジ３ｑが形成されている。更に、端部枠３ｄの板部３ａの中央部寄りには、端部枠３ｄに略平行で、且つ、下端水平フランジ３ｂと上端水平フランジ３ｃを連結するとともに、下端水平フランジ３ｂや上端水平フランジ３ｃや手持ち部補強枠部材３ｎと略同じ高さを有する垂直フランジ３ｒが、所定の間隔を置いて、一対、形成されている。なお、短側壁３の板部３ａの外面３ａ１には、必要に応じて、下端水平フランジ３ｂや上端水平フランジ３ｃや手持ち部補強枠部材３ｎや垂直フランジ３ｒより、高さの低い水平補助リブ３ｓや同じく下端水平フランジ３ｂや上端水平フランジ３ｃや手持ち部補強枠部材３ｎや垂直フランジ３ｒより、高さの低い垂直補助リブ３ｔが形成されている。
【００５４】
図１７に示されているように、底部１の底板１ｃの下面には、裏面形状が長方形状の底部嵌合部材１０が形成されており、底部嵌合部材１０は、箱型に組み立てられた折り畳みコンテナーを、段積みした際に、下方に位置する折り畳みコンテナーの開口部に、上に位置する折り畳みコンテナーの底部１に形成された底部嵌合部材１０が嵌合するように構成されており、このように構成することにより、下に位置する折り畳みコンテナーに対して、上に位置する折り畳みコンテナーが、水平方向に移動しないように構成されている。
【００５５】
上述した底部嵌合部材１０は、底板１ｃの裏面の中央領域に形成された、裏面形状が長方形状の１つの中央底部嵌合部１０ａと、中央底部嵌合部１０ａを挟んで、且つ、底部１の長辺側土手部１ａに沿って形成された、裏面形状が長方形状の４つの土手部側底部嵌合部１０ｂと、土手部側底部嵌合部１０ｂの相対する長手方向の側部間に形成された、裏面形状が長方形状の中間底部嵌合部１０ｃとから構成されている。
【００５６】
中央底部嵌合部１０ａ、土手部側底部嵌合部１０ｂ及び中間底部嵌合部１０ｃは、それぞれ、長辺側土手部１ａに略平行な相対する長辺側壁１０ｄ１と短辺側土手部１ｂに略平行な短辺側壁１０ｄ２とからなる周壁部１０ｄと、周壁部１０ｄ内に形成された交差リブ１０ｄ３とから構成されている。
【００５７】
中央底部嵌合部１０ａと土手部側底部嵌合部１０ｂとの間及び中央底部嵌合部１０ａと中間底部嵌合部１０ｃとの間には、短辺側土手部１ｂと略平行な中央底部嵌合部寄り嵌合溝部１０ｅが形成されており、また、土手部側底部嵌合部１０ｂと中間底部嵌合部１０ｃとの間には、長辺側土手部１ａと略平行な長辺側土手部寄り嵌合溝部１０ｆが形成されている。更に、中間底部嵌合部１０ｃ内には、手持ち部補強枠部材３ｎが挿入可能な手持ち部補強枠部材用凹部１０ｇが形成されている。
【００５８】
上述した下部長側部２Ａと上部長側部２Ｂとからなる長側壁２を構成する下部長側部２Ａの下端水平フランジ２ｂの下面に形成された雄ヒンジ部Ｈ２を、底部１の長辺側土手部１ａに形成された雌ヒンジ部Ｈ１の凹部ｈ１に挿入し、雄ヒンジ部Ｈ２の係合突部ｈ５を、雌ヒンジ部Ｈ１の係合突部ｈ３の下方に配置することにより、長側壁２の下部長側部２Ａが、底部１の長辺側土手部１ａとヒンジ連結され、また、短側壁３を構成する下端水平フランジ３ｂの下面に形成された雄ヒンジ部Ｈ２を、底部１の短辺側土手部１ｂに形成された雌ヒンジ部Ｈ１の凹部ｈ１に挿入し、雄ヒンジ部Ｈ２の係合突部ｈ５を、雌ヒンジ部Ｈ１の係合突部ｈ３の下方に配置することにより、短側壁３が、底部１の短辺側土手部１ｂとヒンジ連結されるように構成されている。このようにして、底部１に、長側壁２及び短側壁３を組み付ける。
【００５９】
上述した構成を有する折り畳みコンテナーが、図４に示されているように、折り畳まれた状態においては、下部長側部２Ａと下部長側部２Ａからなる長側壁２は、上部長側部２Ｂが、図１２に示されているように、下部長側部２Ａに、重合されており、このように、上部長側部２Ｂと下部長側部２Ａとが重合した状態の長側壁２が、底部１に重なるように略水平に倒されている。そして、上部長側部２Ｂと下部長側部２Ａとが重合した状態の長側壁２が、底部１に重なるように略水平に倒された状態においては、相対する長側壁２が、互いに重なることのないように構成されている。また、長側壁２の上に重なるように略水平に倒されている短側壁３は、短側壁３を構成する端部枠３ｄが、底部１の長辺側土手部１ａ１を構成する端部土手部１ａ４の外側垂直面１ａ４’を引っ込ませることにより形成された引っ込み段部１ａ５に嵌合されるとともに、短側壁３に形成された嵌合空間３ｊを構成する内側水平枠３ｊ１と垂下枠３ｊ２、内側枠３ｅ、上端連結水平枠３ｆ及び下端連結水平枠３ｇ等が、底部１の長辺側土手部１ａ１に形成された中央部寄り嵌合凹部１ａ６に嵌合され、また、短側壁３に形成された箱型嵌合部３ｋが、底部１の長辺側土手部１ａ１に形成された端部寄り嵌合凹部１ａ７に嵌合されるように構成されている。
【００６０】
次に、上述したように、図４に示されている折り畳まれた状態の折り畳みコンテナーを、図１に示されているように、箱型に組み立てる工程を説明する。
【００６１】
先ず最初に、略水平状態の短側壁３を、垂直方向に回動させて、図３に示されているように、短側壁３を略垂直に立てる。
【００６２】
次いで、図２に示されているように、下部長側部２Ａと上部長側部２Ｂとが重合された状態の長側壁２を、垂直方向に回動させて略垂直に立てると、下部長側部２Ａに形成された嵌合突部２ｈが、短側壁３の端部枠３ｄに形成された箱型嵌合部３ｋの嵌合空間部３ｋ４に嵌合されるとともに、上部長側部２Ｂに形成された係合部材２ｓの外側板部２ｓ２が、短側壁３に形成された箱型嵌合部３ｋと下端連結水平枠３ｇ間に形成された間隙Ｓ７を経て、短側壁３の端部枠３ｄに形成されたスリットＳ６の下部に挿入されることになる。この状態から、上部長側部２Ｂを上方に持ち上げて、下部長側部２Ａに対してスライド移動させると、上部長側部２Ｂに形成された係合部材２ｓの外側板部２ｓ２が、短側壁３の端部枠３ｄに形成されたスリットＳ６に挿入されガイドされながら、上部長側部２Ｂに形成された係合部材２ｓの挿入板部２ｓ１が、短側壁３に形成された、板部３ａと内側水平枠３ｊ１と垂下枠３ｊ２とにより構成される嵌合空間３ｊに挿入され、最終的には、上部長側部２Ｂに形成された係合部材２ｓの挿入板部２ｓ１が、短側壁３に形成された嵌合空間３ｊを構成する内側水平枠３ｊ１に当接することにより、下部長側部２Ａと上部長側部２Ｂとの重合状態が、下部長側部２Ａの上端部と上部長側部２Ｂの下端部を除いて、実質的に解除されて、下部長側部２Ａと上部長側部２Ｂとにより、箱型に組み立てられた状態における長側壁２を構成することになる。このように、上部長側部２Ｂを上方にスライド移動させることにより、上部長側部２Ｂの板部２ｎと下部長側部２Ａの板部２ａとが並設された状態にする。その後、ロック解除位置にある上部長側部２Ｂに配設されたロック部材４を、上部長側部２Ｂの端部垂直フランジ２ｒ方向に移動させて、ロック部４ｂの先端部を、端部垂直フランジ２ｒを越えて、外側に突出させることにより、ロック部４ｂの先端部を、短側壁３に形成されたロック用下部区画室３ｈ２に挿入させる。このようにして、折り畳まれた状態の折り畳みコンテナーが、箱型に組み立てられることになる。
【００６３】
また、図１に示されているように、箱型に組み立てられた折り畳みコンテナーを、図４に示されているように、折り畳むには、上述した組み立て工程と逆の順序により行うことができる。即ち、先ず最初に、長側壁２を構成する上部長側部２Ｂに配設されたロック部材４を、上部長側部２Ｂの中央部方向に移動させて、ロック部材４のロック部４ｂの先端部を、短側壁３に形成されたロック用下部区画室３ｈ２から排出させる。次いで、上部長側部２Ｂを押し下げスライド移動させて、図２に示されているように、上部長側部２Ｂを、下部長側部２Ａに重合させ、その後、図３に示されているように、下部長側部２Ａと上部長側部２Ｂが重合した状態の長側壁２を、底部１方向に倒す、その後、短側壁３を、底部１方向に倒すことにより、図１に示されているように、箱型に組み立てられた折り畳みコンテナーを、図３に示されているように、折り畳むことができるように構成されている。
【００６４】
上述したように、長側壁２が、底部１の長辺側土手部１ａにヒンジ連結された下部長側部２Ａと下部長側部２Ａにスライド移動可能な上部長側部２Ｂとにより構成されているので、下部長側部に対して上部長側部を回動させて、上部長側部を、下部長側部に形成された凹部に挿入するようにした従来の折り畳みコンテナーのように、箱型に組み立てられた際に、下部長側壁に形成された凹部に、収容された物品が入り込むようなことがなく、従って、収容された物品の取り出し作業の作業性が向上するとともに、凹部を形成したことにより形成された角部に、収容された物品が当接し、収容された物品が損傷するようなことを防止することができる。
【００６５】
また、折り畳まれた状態の折り畳みコンテナーを箱型に組み立てる際には、短側壁３を略垂直に立てた後に、底部１に重ねられ、且つ、重合状態の下部長側部２Ａと上部長側部２Ｂのうち、上に位置する上部長側部２Ｂの適当なフランジを手で持って、下部長側部２Ａと上部長側部２Ｂとが重合状態の長側壁２を略垂直に立て、そのままの状態で、上部長側部２Ｂを持ち上げて、スライド移動させることにより、上述したように、箱型に組み立てることができるので、下部長側部と上部長側部とが重合状態の長側壁を略垂直に立てた後に、下部長側部の内側に手を入れて、上部長側部を持ち、上部長側部を回動させるようにした従来の折り畳みコンテナーに較べて、折り畳みコンテナーの組み立て作業の作業性が向上することになる。
【００６６】
更に、箱型に組み立てられた折り畳みコンテナーを折り畳む際には、上部長側部２Ｂと短側壁３とのロック部材４によるロック状態を解除した後、上部長側部２Ｂを下方に押し下げて、スライド移動させることにより、上述したように、上部長側部２Ｂを、下部長側部２Ａに重合させ、そのままの状態で、重合された上部長側部２Ｂと下部長側部２Ａとを、底部１方向に倒すことができるので、上部長側部を手で持って回動させて、その後、下部長側部を手で持って、下部長側部と上部長側部とが重合状態の長側壁を底部方向に倒すようにした従来の折り畳みコンテナーに較べて、折り畳みコンテナーの折り畳み作業の作業性が向上することになる。
【００６７】
折り畳まれた状態の折り畳みコンテナーの上に、他の折り畳まれた或いは箱型に組み立てられた折り畳みコンテナーを段積みすることが行われるが、この際には、下に位置する折り畳まれた状態の折り畳みコンテナーの短側壁３に形成された手持ち部補強枠部材３ｎが、上に位置する折り畳みコンテナーの底部１の底部嵌合部材１０を構成する中間底部嵌合部１０ｃに形成された手持ち部補強枠部材用凹部１０ｇに嵌合されるように構成されている。
【００６８】
また、下に位置する折り畳まれた状態の折り畳みコンテナーの上に、上に位置する折り畳みコンテナーが段積みされた際には、下に位置する折り畳まれた状態の折り畳みコンテナーの短側壁３に形成された、手持ち部補強枠部材３ｎと略同じ高さを有する上端水平フランジ３ｃ及び上部水平フランジ３ｑが、上に位置する折り畳みコンテナーの底部１の底部嵌合部材１０を構成する中央底部嵌合部１０ａと土手部側底部嵌合部１０ｂとの間及び中央底部嵌合部１０ａと中間底部嵌合部１０ｃとの間に形成された中央底部嵌合部寄り嵌合溝部１０ｅに嵌合されるように構成されている。
【００６９】
更に、下に位置する折り畳まれた状態の折り畳みコンテナーの上に、上に位置する折り畳みコンテナーが段積みされた際には、下に位置する折り畳まれた状態の折り畳みコンテナーの短側壁３に形成された、手持ち部補強枠部材３ｎと略同じ高さを有する垂直フランジ３ｒが、上に位置する折り畳みコンテナーの底部１の底部嵌合部材１０を構成する土手部側底部嵌合部１０ｂと中間底部嵌合部１０ｃとの間に形成された長辺側土手部寄り嵌合溝部１０ｆに嵌合されるように構成されている。
【００７０】
更にまた、下に位置する折り畳まれた状態の折り畳みコンテナーの上に、上に位置する折り畳みコンテナーが段積みされた際には、下に位置する折り畳まれた状態の折り畳みコンテナーの短側壁３に形成された、手持ち部補強枠部材３ｎと略同じ高さを有する下端水平フランジ３ｂが、上に位置する折り畳みコンテナーの底部１の底部嵌合部材１０の側方に位置する短辺側土手部１ｂの裏面に位置するように構成されている。
【００７１】
更になお、下に位置する折り畳まれた状態の折り畳みコンテナーの上に、上に位置する折り畳みコンテナーが段積みされた際には、下に位置する折り畳まれた状態の折り畳みコンテナーの短側壁３に形成された、手持ち部補強枠部材３ｎと略同じ高さを有する端部枠３ｄが、上に位置する折り畳みコンテナーの底部１の底部嵌合部材１０の側方に位置する長辺側土手部１ａの裏面に位置するように構成されている。
【００７２】
なお、手持ち部補強枠部材３ｎと略同じ高さを有する上端水平フランジ３ｃ及び上部水平フランジ３ｑや垂直フランジ３ｒや下端水平フランジ３ｂを、手持ち部補強枠部材３ｎより、高さの低い水平補助リブ３ｓや垂直補助リブ３ｔと同じ高さとすることにより、底部１の底部嵌合部材１０に形成された中央底部嵌合部寄り嵌合溝部１０ｅや長辺側土手部寄り嵌合溝部１０ｆを省略し、底部１の底部嵌合部材１０に、手持ち部補強枠部材用凹部１０ｇのみを形成するように構成することもできる。
【００７３】
上述したように、下に位置する折り畳まれた状態の折り畳みコンテナーの上に、上に位置する折り畳みコンテナーが段積みされた際には、下に位置する折り畳まれた状態の折り畳みコンテナーの短側壁３に形成された手持ち部補強枠部材３ｎが、上に位置する折り畳みコンテナーの底部１の底部嵌合部材１０を構成する中間底部嵌合部１０ｃに形成された手持ち部補強枠部材用凹部１０ｇに嵌合されるように構成されているので、下に位置する折り畳まれた状態の折り畳みコンテナーの短側壁３に形成された手持ち部補強枠部材用凹部１０ｇが、上に位置する折り畳みコンテナーの底部１の底部嵌合部材１０に当接するようなことがないので、段積みされた折り畳みコンテナーの高さを低くすることができ、従って、段積みされた折り畳みコンテナーの収容効率を向上することができる。
【００７４】
なお、上述した実施例には、折り畳みコンテナーが箱型に組み立てられた際の長側壁２を構成する上部長側部２Ｂと短側壁３とのロック状態及び箱型に組み立てられた折り畳みコンテナーの折り畳み作業の際のロック解除を、ロック部材４の水平方向のスライド移動により行うようにした例が示されているが、一例として、特開平２００４−５１１９９号公報に開示されているように、垂直スライド部材を上下動させることにより、ロック状態及びロック状態の解除を行うように構成することもでき、また、特開平２００１−２８７７３７号公報に開示されているように、短側壁に、スリットで囲まれた、自由端部に係合突部を有する弾性片を形成し、折り畳みコンテナーが箱型に組み立てられた際には、弾性片の係合突部に、長側壁が係合することにより、短側壁と長側壁をロック状態にし、また、弾性片をその弾性力に抗して弾性変形させることにより、弾性片の係合突部と長側壁との係合状態を解除し、長側壁を底部方向に倒すことができるようなロック部材を使用することもできる。更には、公知の種々のロック部材を、適宜、採用することもできる。
【図面の簡単な説明】
【００７５】
【図１】図１は、本発明の折り畳みコンテナーが箱型に組み立てられた状態の斜視図である。
【図２】図２は、本発明の折り畳みコンテナーが、組み立て途中或いは折り畳み途中の斜視図である。
【図３】図３は、同じく、本発明の折り畳みコンテナーが、組み立て途中或いは折り畳み途中の斜視図である。
【図４】図４は、本発明の折り畳みコンテナーが折り畳まれた状態の斜視図である。
【図５】図５は、本発明の折り畳みコンテナーを構成する底部の斜視図である。
【図６】図６は、本発明の折り畳みコンテナーを構成する長側壁の分解斜視図である。
【図７】図７は、同じく、本発明の折り畳みコンテナーを構成する長側壁の分解斜視図である。
【図８】図８は、本発明の折り畳みコンテナーを構成する長側壁の上部長側部及びロック部材の分解斜視図である。
【図９】図９は、本発明の折り畳みコンテナーを構成する長側壁の下部長側部の斜視図である。
【図１０】図１０は、本発明の折り畳みコンテナーを構成する長側壁の下部長側部の部分拡大斜視図である。
【図１１】図１１は、本発明の折り畳みコンテナーを構成する長側壁の上部長側部に配設されるロック部材の斜視図である。
【図１２】図１２は、本発明の折り畳みコンテナーを構成する長側壁の斜視図である。
【図１３】図１３は、同じく、本発明の折り畳みコンテナーを構成する長側壁の斜視図である。
【図１４】図１４は、本発明の折り畳みコンテナーを構成する短側壁の斜視図である。
【図１５】図１５は、同じく、本発明の折り畳みコンテナーを構成する短側壁の斜視図である。
【図１６】図１６は、本発明の折り畳みコンテナーを構成する短側壁の部分拡大斜視図である。
【図１７】図１７は、本発明の折り畳みコンテナーを構成する底部の裏面斜視図である。
【符号の説明】
【００７６】
Ｈ１・・・・・・・・・・・・・・雌ヒンジ部材
Ｈ２・・・・・・・・・・・・・・雄ヒンジ部材
１・・・・・・・・・・・・・・・底部
２・・・・・・・・・・・・・・・長側壁
２Ａ・・・・・・・・・・・・・・下部長側部
２Ｂ・・・・・・・・・・・・・・上部長側部
３・・・・・・・・・・・・・・・短側壁
３ｍ・・・・・・・・・・・・・・手持ち用透孔
３ｎ・・・・・・・・・・・・・・手持ち部補強枠部材
４・・・・・・・・・・・・・・・ロック部材
【図１】
2007076655.tif 000003
【図２】
2007076655.tif 000004
【図３】
2007076655.tif 000005
【図４】
2007076655.tif 000006
【図５】
2007076655.tif 000007
【図６】
2007076655.tif 000008
【図７】
2007076655.tif 000009
【図８】
2007076655.tif 000010
【図９】
2007076655.tif 000011
【図１０】
2007076655.tif 000012
【図１１】
2007076655.tif 000013
【図１２】
2007076655.tif 000014
【図１３】
2007076655.tif 000015
【図１４】
2007076655.tif 000016
【図１５】
2007076655.tif 000017
【図１６】
2007076655.tif 000018
【図１７】
2007076655.tif 000019